(57)【特許請求の範囲】
【請求項１】
窓錠の開錠が検知されると検知電波を送信する送信器と、検知電波を受信すると各窓に対応するチャンネルを設定し、開錠に対応した処理を行う受信器で構成され、識別情報登録モードと施錠確認モードとを有する施錠確認装置の施錠確認方法であって、
識別情報登録モードでは、
窓錠を開錠し、送信器から識別情報を含む検知電波を送信させると、前記検知電波を受信した受信器が、前記検知電波に含まれる識別情報をチャンネルに登録し、
施錠確認モードでは、
開錠が検知され送信器が検知電波を送信すると、前記検知電波を受信した受信器が、前記検知電波に含まれる識別情報と、識別情報と比較するために登録されている登録情報との比較により、受信すべき送信器からの検知電波を選別し、開錠に対応した処理を実行し、
受信器は、
既登録の登録情報を削除する操作指示に基づき、登録情報の削除を行う識別情報削除手段を有することを特徴とする施錠確認方法。
【請求項２】
請求項１に記載される認識番号登録方法において、
受信器が受信した検知電波に含まれる識別情報が、既登録の場合には、前記識別情報の登録を行わない、
ことを特徴とする施錠確認方法。
【発明の詳細な説明】
【０００１】
【発明の属する技術分野】
本発明は、建物の窓錠に設けられた開錠及び施錠を検知する施錠確認装置、特に窓の開錠及び施錠をセンサにより検知し、アンテナを介して検知電波を送信する施錠確認装置に関する。
【０００２】
【従来の技術】
ビル、住宅などに設置される防犯装置の一つに、侵入者による窓錠の開錠を検知し、警報を鳴らしたり、警備会社に連絡することで防犯を行っている施錠確認装置がある。図１は、施錠確認装置の構成を示す概略図である。
【０００３】
図１に示される部屋の側面には、スライドさせて開閉する２枚１組の窓１０がある。通常、侵入者の侵入を防止する為に、内側の窓１２の窓枠１６には、回転錠爪３２が固定され、外側の窓１４の窓枠１８には、回転錠爪３２と対向する位置に、係合部材２８が固定されており、回転錠爪３２を係合部材２８に係合することにより、施錠できるようになっている。しかし、窓１０が施錠されていても、侵入者は窓錠の近くの窓１０を割って、錠を開錠し窓を開けてから侵入する場合がある。そのような侵入を未然に防ぐために、図１の部屋には検知電波送信ユニット３０と受信器７０とから成る施錠確認装置が設置されている。検知電波送信ユニット３０は、開錠を検知できるように回転錠爪３２と共に設けられており、センサが錠の開錠を検知すると、検知電波送信ユニット３０が検知電波を部屋の側壁に設置される受信器７０に送信し、受信器７０が検知電波を受信するとスピーカ７６から警報を鳴らし、警備会社に連絡する。
【０００４】
このとき、検知電波には検知電波送信ユニット３０毎に異なる識別情報が含まれており、受信器７０は識別情報より警報を鳴らすべき検知電波送信ユニット３０からの検知電波かどうか判断する。受信器７０のこの判断により、例えば隣の家の施錠確認装置の検知電波送信ユニット３０が開錠を検知し検知電波を送信したとき、間違えて警報を鳴らすことを防止している。
【０００５】
【発明が解決しようとする課題】
しかしながら、上記説明した施錠確認装置では、検知電波送信ユニット３０を新しく取り付けたり、交換する際に、受信器７０に検知電波送信ユニット３０の識別情報を手入力で登録しなければならず、手間がかかるという問題があった。
【０００６】
【課題を解決するための手段】
本発明の請求項１に係る発明は、窓錠の開錠が検知されると検知電波を送信する送信器と、検知電波を受信すると各窓に対応するチャンネルを設定し、開錠に対応した処理を行う受信器で構成され、識別情報登録モードと施錠確認モードとを有する施錠確認装置の施錠確認方法であって、識別情報登録モードでは、窓錠を開錠し、送信器から識別情報を含む検知電波を送信させると、前記検知電波を受信した受信器が、前記検知電波に含まれる識別情報をチャンネルに登録し、施錠確認モードでは、開錠が検知され送信器が検知電波を送信すると、前記検知電波を受信した受信器が、前記検知電波に含まれる識別情報と、識別情報と比較するために登録されている登録情報との比較により、受信すべき送信器からの検知電波を選別し、開錠に対応した処理を実行し、受信器は、既登録の登録情報を削除する操作指示に基づき、登録情報の削除を行う識別情報削除手段を有することを特徴とする施錠確認方法である。
【０００７】
本発明の請求項２に係る発明は、請求項１に記載される認識番号登録方法において、受信器が受信した検知電波に含まれる識別情報が、既登録の場合には、前記識別情報の登録を行わないことを特徴とする施錠確認方法である。
【０００８】
本発明の上記の方法により、検知電波送信ユニットの識別情報を簡易に受信器に登録できる。
【０００９】
【発明の実施の形態】
以下、図面に基づき本発明の実施形態について説明する。
【００１０】
図１は、施錠確認装置の構成を示す概略図である。
【００１１】
図１に示される部屋の側面には、スライドさせて開閉する２枚１組の窓１０が設けられている。内側の窓１２の窓枠１６には、図２に示される回転錠爪３２が固定され、また、外側の窓１４の窓枠１８には、図６に示される係合部材２８が固定されており、回転錠爪３２を回転すると回転錠爪３２が係合部材２８と係合し、窓１０の施錠ができる位置関係で回転錠爪３２と係合部材２８は配置されている。侵入者が窓１０を割り、不正に窓１０を開錠し部屋に侵入することを防ぐため、部屋には施錠確認装置が備えられている。施錠確認装置では、検知電波送信ユニット３０が侵入者の不正な開錠を検知し検知電波を送信すると、受信器７０が検知電波を受信し、侵入者を威嚇する警報を鳴らす。
【００１２】
本実施形態の施錠確認装置の検知電波送信ユニット３０及び受信器７０の構成を図２を参照して説明する。
【００１３】
受信器７０には、主要部として受信アンテナ７４、受信処理部１２０、スピーカ７６が備えられ、受信アンテナ７４が検知電波を受信すると、受信処理部１２０がスピーカ７６から警報を発生させる。受信処理部１２０は受信部１０８、制御部１１０、警報発生部１１２、登録情報記憶部１１４、電源部１１６から構成される。受信器７０が検知電波送信ユニット３０からの検知電波に含まれる識別情報から検知電波送信ユニット３０を選別して警報を鳴らせるように、登録情報記憶部１１４は識別情報と比較する為の登録情報を記憶する複数のチャネルを持ち、複数のチャネルのそれぞれに警報を鳴らすべき検知電波送信ユニット３０の識別情報を登録情報として記憶し登録する。また、受信器７０には警報時間ボリュームつまみ１０２、音量ボリュームつまみ１０６が備えられ、ユーザがつまみを調節することで警報の鳴る時間及び音量を設定できる。また、受信器には識別情報登録モードと施錠確認モードがあり、識別情報登録モードは新しく検知電波送信ユニット３０を窓枠に取り付けたり交換した場合にその新しい検知電波送信ユニット３０の識別情報を登録するモードであり、施錠確認モードは通常の窓錠の開錠を監視するモードである。施錠確認モードでは、登録情報と同じ識別情報を含む検知電波を受信すると警報を鳴らす。この識別情報登録モードと施錠確認モードは、受信器７０に備えられる登録スイッチ１０４を押すことにより切り換えることができる。登録スイッチ１０４を１回押すと登録情報記憶部１１４のチャネル１が選択され、チャネル１に既に登録情報が記憶されている場合には、登録スイッチをさらに１回押すとチャネル２が選択される。このように複数回登録スイッチ１０４を押すことで識別情報を保存するチャネルを選択できる。また、受信器７０には状態表示灯１１８が設けられ、状態表示灯１１８の点灯により、受信器７０の状態が登録モード、施錠確認モードのいずれの状態にあるかを知ることができる。一方、検知電波送信ユニット３０には、窓錠の開錠を検出する開錠検出センサ５８と、検知電波送信ユニット３０が窓枠から取り外されたことを検知するタンパースイッチ８０が取り付けられている。開錠検出センサ５８とタンパースイッチ８０は送信器４８に接続される。送信器４８は制御部９２、送信部９６、識別情報記憶部９４、電池９８から構成され、制御部９２は識別情報記憶部９４に記憶されている識別情報を含んだ検知電波を送信部９６から送信させることができる。
【００１４】
識別情報登録モードで識別情報を受信器７０に登録する施錠確認装置の動作について説明する。以下に説明する処理の流れを図３に示す。
【００１５】
受信器７０の登録スイッチ１０４を押し、受信器７０は施錠確認モードから識別情報登録モードに切り換え、登録情報記憶部１１４のチャネルを選択する。登録スイッチ１０４を押し受信器７０が識別情報登録モードになると、識別情報登録モードであることを示す状態表示灯１１８が点灯する。この状態で、施錠状態にしておいた回転錠爪３２を開錠する。開錠されると検知電波送信ユニット３０の開錠検出センサ５８から送信器４８の制御部９２に開錠検出信号が送られ、制御部９２は送信部９６に指令を送り、識別情報を含んだ検知電波を送信アンテナ３３を介して送信させる。受信器７０の受信部１０８が受信アンテナ７４を介して検知電波を受信し制御部１１０に検知データを送る。制御部１１０は受け取った検知データに含まれる識別情報と、登録情報記憶部１１４に記憶されている全ての登録情報を比較し、登録情報の中に識別情報と同じ情報があると、二重登録を避けるため、識別情報を登録することなしに処理を終了する。登録情報の中に識別情報と同じ情報がないと、登録スイッチ１０４で選択したチャネルに識別情報を登録し処理を終了する。上記説明した処理により、識別情報を受信器７０に登録することができる。
【００１６】
次に、施錠確認モードでの施錠確認装置の動作について説明する。
【００１７】
検知電波送信ユニット３０では、開錠検出センサ５８が開錠を検知すると開錠検知信号を送信器４８の制御部９２に送り、また、タンパースイッチ８０が検知電波送信ユニット３０の窓枠１６からの取り外しを検知すると同様に取り外し検知信号を送信器４８の制御部９２に送る。制御部９２は開錠検知信号または取り外し検知信号を受け取ると、識別情報記憶部９４から識別情報のデータを読み出し、送信部９６に識別情報を含む検知電波を送信アンテナ３３を介して送信させる。受信器７０の受信部１０８は、送信器４８が受信アンテナ７４を介して送信した検知電波を受信する。受信部１０８から制御部１１０に検知データが渡され、制御部１１０は検知データに含まれる識別情報と、識別情報登録モードで登録情報記憶部１１４に登録した登録情報を比較し、登録情報の中に識別情報と同じ情報がないと警報を鳴らすことなしに処理を終了する。登録情報の中に識別情報と同じ情報があると、警報時間ボリュームつまみ１０２の時間だけ警報を鳴らすように警報発生部１１２に指令を送る。警報発生部１１２は指令を受け取ると音量ボリュームつまみ１０６の音量でスピーカ７６から警報を発生させる。このように施錠確認モードでは、開錠または検知電波送信ユニット３０の取り外しを検知して警報を鳴らすことにより、侵入者の侵入を防ぐことができる。
【００１８】
上記説明した本発明の特徴的な部分は、識別情報登録モードで窓錠を開錠し、送信器４８から識別情報を含む検知電波を送信させ、検知電波を受信した受信器７０が、検知電波に含まれる識別情報を登録情報記憶部１１４に記憶し登録することである。この方法により、識別情報を手入力することなく、簡易に受信器７０に登録することができる。
【００１９】
また、本実施形態では、登録スイッチ１０４でチャネルを選択し登録スイッチ１０４を一定時間押すことにより、選択されたチャネルに登録された登録情報を簡易に削除することもできる。
【００２０】
【発明の効果】
本発明の施錠確認装置の識別情報の登録方法では、簡易に検知電波送信ユニットの識別情報を受信器に登録できる効果がある。
【図面の簡単な説明】
【図１】  施錠確認装置の構成を示す概略図である。
【図２】  本実施形態の検知電波送信ユニット及び受信器の構成を示す構成図である。
【図３】  本実施形態の識別情報を登録する方法の処理の流れを説明する説明図である。
【符号の説明】
１０  窓、１２  内側の窓、１４  外側の窓、１６  内側窓枠、１８  外側窓枠、２８  係合部材、３０  検知電波送信ユニット、３２  回転錠爪、３３送信アンテナ、４８  送信器、５２  ネジ、５８  開錠検出センサ、７０  受信器、７２  受信器本体、７４  受信アンテナ、７６  スピーカ、８０  タンパースイッチ、９２  制御部、９４  識別情報記憶部、９６  送信部、９８  電池、１０２  警報時間ボリュームつまみ、１０４  登録スイッチ、１０６  音量ボリュームつまみ、１０８  受信部、１１０  制御部、１１２  警報発生部、１１４登録情報記憶部、１１６  電源部、１１８  状態表示灯、１２０  受信処理部。
【図１】
0004690592.tif 000002
【図２】
0004690592.tif 000003
【図３】
0004690592.tif 000004